(57)【要約】      （修正有）【課題】簡易な操作で正しい基地局へと接続する。【解決手段】無線通信の基地局である電子機器（プロジェクタ）２１と、端末装置２２とを備える通信（投影）システム１０であって、電子機器２１は、端末装置２２と無線通信をする第１の無線通信部８４と、電子機器２１を識別する識別子を用いて、端末装置２２との間の無線通信を介したデータの送受信を制御する第１の通信制御部８１と、ユーザにより予め定められた操作がされた場合、第１の通信制御部に、予め設定されている第１の識別子に代えて第２の識別子を設定する第１の設定部８３と、を有する。端末装置２２は、電子機器２１と無線通信をする第２の無線通信部９５と、所定のプログラムを実行するプロセッサ（ＣＰＵ）６３と、を有し、プロセッサは、探索部９３によって第２の識別子が検出された場合、第２の識別子を第２の通信制御部９２に設定する第２の設定部９４として機能する。【選択図】図４
2015220500.tif 000002
【特許請求の範囲】
【請求項１】
無線通信の基地局である電子機器と、前記電子機器と無線通信により接続される端末装置とを備える通信システムであって、
前記電子機器は、
前記端末装置と無線通信をする第１の無線通信部と、
前記電子機器を識別する識別子を用いて、前記端末装置との間の前記無線通信を介したデータの送受信を制御する第１の通信制御部と、
ユーザにより予め定められた操作がされた場合、前記第１の通信制御部に、予め設定されている第１の識別子に代えて第２の識別子を設定する第１の設定部と、
を有し、
前記端末装置は、
前記電子機器と無線通信をする第２の無線通信部と、
所定のプログラムを実行するプロセッサと、
を有し、
前記プロセッサは、
前記電子機器を識別する識別子を用いて、前記電子機器との間の前記無線通信を介したデータの送受信を制御する第２の通信制御部と、
無線通信可能な範囲に存在する基地局の識別子を探索する探索部と、
探索によって前記第２の識別子が検出された場合、前記第２の識別子を前記第２の通信制御部に設定する第２の設定部と
して機能する通信システム。
【請求項２】
前記電子機器は、操作入力部を備え、
前記第１の設定部は、ユーザにより前記操作入力部に対して所定の操作がされた場合に、前記第１の通信制御部に、前記第１の識別子に代えて前記第２の識別子を設定する
請求項１に記載の通信システム。
【請求項３】
前記第２の設定部は、前記プロセッサが前記プログラムを起動してから予め定められた時間内に、探索によって前記第２の識別子が検出された場合、前記第２の識別子を前記第２の通信制御部に設定する
請求項１または２に記載の通信システム。
【請求項４】
前記電子機器は、前記端末装置から前記無線通信を介して送信された画像データを入力し、入力した画像データに応じた映像を投影する投影部をさらに備える
請求項１から３の何れか１項に記載の通信システム。
【請求項５】
前記第１の設定部は、前記端末装置との間の前記第２の識別子を用いたデータの送受信が終了した場合、前記第２の識別子に代えて前記第１の識別子を前記第２の通信制御部に設定する
請求項１から４の何れか１項に記載の通信システム。
【請求項６】
前記識別子は、ＩＥＥＥ８０２．１１規格におけるＳＳＩＤである
請求項１から５の何れか１項に記載の通信システム。
【請求項７】
無線通信の基地局である電子機器と、前記電子機器と無線通信により接続される端末装置とを備える通信システムでの通信方法であって、
前記電子機器は、
前記端末装置と無線通信をする第１の無線通信部と、
前記電子機器を識別する識別子を用いて、前記端末装置との間の前記無線通信を介したデータの送受信を制御する第１の通信制御部と、
を有し、
前記端末装置は、
前記電子機器と無線通信をする第２の無線通信部と、
所定のプログラムを実行することにより、前記電子機器を識別する識別子を用いて、前記電子機器との間の前記無線通信を介したデータの送受信を制御する第２の通信制御部として機能するプロセッサと、
を有し、
前記電子機器の第１の設定部が、ユーザにより予め定められた操作がされた場合、前記第１の通信制御部に、予め設定されている第１の識別子に代えて第２の識別子を設定するステップと、
前記端末装置の前記プロセッサが、無線通信可能な範囲に存在する基地局の識別子を探索するステップと、
前記端末装置の前記プロセッサが、探索によって前記第２の識別子が検出された場合、前記第２の識別子を前記第２の通信制御部に設定するステップと、
を実行する通信方法。
【発明の詳細な説明】
【技術分野】
【０００１】
本発明は、通信システムおよび通信方法に関する。
【背景技術】
【０００２】
無線ＬＡＮ（Local  Area  Network）のアクセスポイントの機能を有するプロジェクタが知られている。また、持ち運び可能なプロジェクタも知られている。このようなプロジェクタは、有線ネットワークが整備されていない環境に持ち運んだ場合であっても、簡単に、コンピュータ等の端末装置から画像データを入力することができる。
【発明の概要】
【発明が解決しようとする課題】
【０００３】
ところで、無線ＬＡＮでは、ＳＳＩＤ（Service  Set  Identifier）と呼ばれる識別子によりアクセスポイントが識別される。プロジェクタを持ち運んで使用する場合、そのプロジェクタのＳＳＩＤが、持ち運んだエリアに既に設置されている他のアクセスポイントと同一となってしまう可能性がある。同一のＳＳＩＤが複数個検出された場合、ユーザは、端末装置をいずれのアクセスポイントと接続させればよいかが分からなくなり、接続操作に手間取ってしまう。
【０００４】
特許文献１には、ネットワーク機器にアドレスを自動で割り当てて、機器の名称、アドレスおよび種別に応じてフィルタリング規制をする中継装置が記載されている。しかしながら、このような中継装置でも、同一の識別子が複数個検出された場合には、ユーザは接続操作をすることができない。
【０００５】
本発明は、上記に鑑みてなされたものであって、無線通信が可能な範囲に同一の識別子の他の基地局が存在する場合であっても、正しい基地局に簡易な操作で接続することができる通信システムおよび通信方法を提供することを目的とする。
【課題を解決するための手段】
【０００６】
上述した課題を解決し、目的を達成するために、本発明は、無線通信の基地局である電子機器と、前記電子機器と無線通信により接続される端末装置とを備える通信システムであって、前記電子機器は、前記端末装置と無線通信をする第１の無線通信部と、前記電子機器を識別する識別子を用いて、前記端末装置との間の前記無線通信を介したデータの送受信を制御する第１の通信制御部と、ユーザにより予め定められた操作がされた場合、前記第１の通信制御部に、予め設定されている第１の識別子に代えて第２の識別子を設定する第１の設定部と、を有し、前記端末装置は、前記電子機器と無線通信をする第２の無線通信部と、所定のプログラムを実行するプロセッサと、を有し、前記プロセッサは、前記電子機器を識別する識別子を用いて、前記電子機器との間の前記無線通信を介したデータの送受信を制御する第２の通信制御部と、無線通信可能な範囲に存在する基地局の識別子を探索する探索部と、探索によって前記第２の識別子が検出された場合、前記第２の識別子を前記第２の通信制御部に設定する第２の設定部として機能する。
【発明の効果】
【０００７】
本発明によれば、無線通信が可能な範囲に同一の識別子の他の基地局が存在する場合であっても、簡易な操作で正しい基地局へと接続することができる。
【図面の簡単な説明】
【０００８】
【図１】図１は、実施形態に係る投影システムを示す図である。
【図２】図２は、実施形態に係るプロジェクタのハードウェア構成を示す図である。
【図３】図３は、実施形態に係る端末装置のハードウェア構成を示す図である。
【図４】図４は、実施形態に係る投影システムの機能構成を示す図である。
【図５】図５は、実施形態に係るプロジェクタおよび端末装置のそれぞれの処理順序を示すフローチャートである。
【発明を実施するための形態】
【０００９】
以下、本発明の通信システムの実施の形態として、投影システム１０を説明する。
【００１０】
図１は、実施形態に係る投影システム１０を示す図である。投影システム１０は、プロジェクタ２１（画像投影装置）と、端末装置２２と、スクリーン２３とを備える。
【００１１】
プロジェクタ２１は、画像データを入力して、画像データに応じた映像をスクリーン２３に投影する。スクリーン２３は、プロジェクタ２１により投影された光を反射できればどのような部材であってもよい。
【００１２】
端末装置２２は、画像データを出力して、プロジェクタ２１に与える。端末装置２２は、例えば、ノート型のコンピュータ、タブレット端末、スマートフォン等の情報処理を実行するコンピュータであってよい。また、端末装置２２は、画像データを再生する映像再生装置であってもよい。また、端末装置２２は、放送信号または通信信号を受信して、映像データを再生する受信装置であってもよい。
【００１３】
プロジェクタ２１と端末装置２２とは、無線通信により接続される。プロジェクタ２１と端末装置２２とは、一例として、ＩＥＥＥ（Institute  of  Electrical  and  Electronics  Engineers）８０２．１１規格の無線ＬＡＮに従った方式で接続される。また、プロジェクタ２１は、無線通信の基地局（アクセスポイント：親機）である電子機器として機能する。端末装置２２は、無線通信のクライアント（子機）として機能する。プロジェクタ２１と端末装置２２とは、このような無線通信により接続されて、画像データ等を送受信する。
【００１４】
また、端末装置２２の無線通信可能な範囲には、プロジェクタ２１以外の基地局（アクセスポイント）である他のプロジェクタ３１が存在していてもよい。なお、プロジェクタ２１は、アクセスポイントの機能が、例えばＵＳＢ（Universal  Serial  Bus）のソケットに機器を接続することにより付加されてもよい。
【００１５】
ここで、無線ＬＡＮにおけるアクセスポイントとクライアントとの接続について説明する。無線ＬＡＮのアクセスポイントは、所定の時間間隔でビーコンと呼ばれる制御信号をブロードキャストする。ビーコンには、例えば、ＳＳＩＤ、利用可能な伝送速度、無線チャネル番号等の情報が含まれる。
【００１６】
アクセスポイントが送信する電波の到達範囲にあるクライアントは、このビーコンを受信することによってアクセスポイントへの接続に必要な情報を取得することができる。または、クライアントは、ビーコンの受信に応じてプローブ要求と呼ばれるアクセスポイントに対する問い合わせを送信し、アクセスポイントからプローブ要求に対して返信されたプローブ応答により、アクセスポイントへの接続に必要な情報を取得することもできる。
【００１７】
クライアントは、このように取得した情報に基づいて、設定されたアクセスポイントを選択し、選択したアクセスポイントとの間で無線接続の認証をする。そして、クライアントは、アクセスポイントとの間で認証が成功すると、以後、データの送受信が可能となる。
【００１８】
図２は、実施形態に係るプロジェクタ２１のハードウェア構成を示す図である。プロジェクタ２１は、システム制御部４１と、投影部４２と、記憶部４３と、外部接続部４４と、有線通信部４５と、無線通信部４６と、表示入力部４７と、操作信号受信部４８と、ファン制御部４９と、ファン５０とを有する。
【００１９】
システム制御部４１は、例えば、ＣＰＵ（Central  Processing  Unit）と、ＲＡＭ（Random  Access  Memory）およびＲＯＭ（Read  Only  Memory）等の周辺回路等を含む。システム制御部４１は、例えば、記憶部４３等に記憶されたプログラムを実行することにより、プロジェクタ２１の全体を制御する。
【００２０】
記憶部４３は、例えば、ＲＡＭ、ＲＯＭおよびフラッシュメモリ等を含む。記憶部４３は、プロジェクタ２１が実行する各種プログラム、投影する画像データ、および各種設定データ等を記憶する。
【００２１】
外部接続部４４は、外部からの映像（画像）データ、例えば、コンピュータからの画像出力信号、映像機器等からのＨＤＭＩ（登録商標）信号、ビデオ信号等を入力するためのインタフェースである。有線通信部４５は、有線ＬＡＮのインタフェースおよびその通信制御部を含む。
【００２２】
無線通信部４６は、無線ＬＡＮのインタフェースおよびその通信制御部を含む。無線通信部４６は、無線ＬＡＮのアクセスポイントの機能を有する。
【００２３】
表示入力部４７は、操作ボタンまたはタッチパネル等を含み、各種情報を表示する。また、表示入力部４７は、操作ボタンまたはタッチパネル等に対するユーザの操作を入力する。操作信号受信部４８は、リモートコントローラからの操作信号を受信して、ユーザの操作を入力する。
【００２４】
ファン制御部４９は、投影部４２およびプロジェクタ２１の全体の温度が所定の温度となるように、ファン５０を制御する。ファン５０は、投影部４２に対して空気を送風して投影部４２およびプロジェクタ２１全体を冷却する。
【００２５】
投影部４２は、光源５１と、光源制御部５２と、カラーホイール５３と、回転検出部５４と、カラーホイール制御部５５と、ＤＭＤ５６（Digital  Mirror  Device）と、ＤＭＤ制御部５７と、投射レンズ５８とを含む。
【００２６】
光源５１は、ランプ、ＬＥＤ（Light  Emitting  Diode）または半導体レーザー等の固体光源等の画像投影用の光源である。光源制御部５２は、光源５１の明るさ、点灯／消灯の制御等を行う。
【００２７】
カラーホイール５３は、例えば、赤、青、緑の３色に色分けされた円板等を高速で回転させ、光源５１からの光を透過させることにより色づけを行う。回転検出部５４は、カラーホイール５３の回転状態を検出する。カラーホイール制御部５５は、カラーホイール５３の回転を制御する。
【００２８】
ＤＭＤ５６は、多数の微小鏡面（マイクロミラー）を平面に配置した表示素子である。ＤＭＤ制御部５７は、投影対象の画像データに応じて画素毎にＤＭＤ５６のマイクロミラーの向きを制御する。投射レンズ５８は、ＤＭＤ５６を通過した光をスクリーン２３へと投射する。なお、ＤＭＤ５６およびカラーホイール５３は、画像投影用の表示素子の一例であり、例えば、ＬＣＤ（Liquid  Crystal  Display）等の他の表示素子であってもよい。
【００２９】
光源５１から出た光は、カラーホイール５３で色づけされ、画像データによって画素毎に向きが制御されるＤＭＤ５６で反射し、投射レンズ５８を介してスクリーン２３に照射されて像を結ぶ。
【００３０】
図３は、実施形態に係る端末装置２２のハードウェア構成を示す図である。端末装置２２は、表示部６１と、入力部６２と、ＣＰＵ６３と、ＲＯＭ６４と、ＲＡＭ６５と、記憶装置６６と、有線通信部６７と、無線通信部６８とを有する。各部は、バスにより接続される。
【００３１】
表示部６１は、ＬＣＤ（Liquid  Crystal  Display）等の表示装置である。表示部６１は、ＣＰＵ６３からの表示信号に基づいて情報を表示する。入力部６２は、キーボードおよびマウス等のユーザの操作情報を入力する。入力部６２は、入力した操作情報をＣＰＵ６３に供給する。なお、表示部６１および入力部６２は、タッチパネルのような一体的な構成であってもよい。
【００３２】
ＣＰＵ６３は、プログラムを実行してデータ処理および制御等をするプロセッサの一例である。ＣＰＵ６３は、ＲＡＭ６５の所定領域を作業領域として、ＲＯＭ６４または記憶装置６６に予め記憶された各種プログラムとの協働により各種処理を実行し、端末装置２２を構成する各部の動作を統括的に制御する。また、ＣＰＵ６３は、ＲＯＭ６４または記憶装置６６に予め記憶されたプログラムとの協働により、表示部６１、入力部６２、有線通信部６７および無線通信部６８等を制御する。
【００３３】
ＲＯＭ６４は、不揮発性メモリであって、端末装置２２の制御に用いられるプログラムおよび各種情報を記憶する。ＲＡＭ６５は、揮発性のメモリであって、ＣＰＵ６３の作業領域として機能する。
【００３４】
記憶装置６６は、フラッシュメモリ等の半導体による記憶媒体、磁気的または光学的に記録可能な記憶媒体等の書き換え可能な記録装置である。記憶装置６６は、端末装置２２の制御に用いられるプログラムおよび各種情報等を記憶する。
【００３５】
有線通信部６７は、有線ＬＡＮのインタフェースおよびその通信制御部を含む。無線通信部６８は、無線ＬＡＮのインタフェースおよびその通信制御部を含む。無線通信部６８は、無線ＬＡＮのクライアントの機能を有する。
【００３６】
本実施形態の端末装置２２で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００３７】
また、本実施形態の端末装置２２で実行されるプログラムを、インターネット等のネットワークに接続されたコンピュータ上に格納し、ネットワーク経由でダウンロードさせることにより提供するように構成してもよい。また、本実施形態の端末装置２２で実行されるプログラムをインターネット等のネットワーク経由で提供または配布するように構成してもよい。また、本実施形態の端末装置２２で実行されるプログラムを、ＲＯＭ等に予め組み込んで提供するように構成してもよい。
【００３８】
図４は、実施形態に係る投影システム１０の機能構成を示す図である。
【００３９】
プロジェクタ２１のシステム制御部４１は、電源が投入されて、所定のプログラムを起動すると、第１の通信制御部８１と、第１の画像処理部８２と、第１の設定部８３として機能する。なお、第１の通信制御部８１、第１の画像処理部８２および第１の設定部８３は、一部または全部がハードウェアで構成されていてもよい。
【００４０】
さらに、プロジェクタ２１は、電源が投入されると、投影部４２、第１の無線通信部８４および操作入力部８５の機能が有効となる。第１の無線通信部８４は、図２に示す無線通信部４６により実現される機能である。すなわち、第１の無線通信部８４は、ＩＥＥＥ８０２．１１規格の無線ＬＡＮの方式で端末装置２２と無線通信をする。
【００４１】
第１の通信制御部８１は、プロジェクタ２１を識別する識別子であるＳＳＩＤを用いて、端末装置２２との間の無線通信を介したデータの送受信を制御する。第１の通信制御部８１は、ＳＳＩＤをビーコン信号に含めて周囲の装置にブロードキャストする。なお、第１の通信制御部８１には、予め初期設定された第１のＳＳＩＤが設定されている。第１のＳＳＩＤは、工場出荷時において、プロジェクタ２１毎に固有に設定されている値であってもよいし、ユーザが設定した値であってもよい。
【００４２】
第１の画像処理部８２は、端末装置２２から無線通信により受信した画像データに対して画像処理を実行する。第１の画像処理部８２は、一例として、受信したデータを投影部４２により投影可能な形式の画像データに変換する。
【００４３】
投影部４２は、端末装置２２から無線通信を介して送信された画像データを、第１の画像処理部８２から入力し、入力した画像データに応じた映像をスクリーン２３に投影する。
【００４４】
操作入力部８５は、図２に示す表示入力部４７により実現される機能である。操作入力部８５は、ユーザによる操作を受け付ける。より具体的には、操作入力部８５は、ユーザにより通信設定を簡易に実行させるための所定の操作（簡易設定操作）がされたことを受け付ける。
【００４５】
第１の設定部８３は、ユーザにより予め定められた操作（例えば、簡易設定操作）がされた場合、第１の通信制御部８１に、予め設定されている第１のＳＳＩＤに代えて、第２のＳＳＩＤを設定する。ここで、第２のＳＳＩＤは、プロジェクタ２１の製造者が定めた値であり、例えば製造者毎に共通、または、プロジェクタ２１の種類毎に共通の値である。
【００４６】
端末装置２２のＣＰＵ６３は、画像処理プログラムを実行することにより、第２の画像処理部９１として機能する。さらに、ＣＰＵ６３は、無線通信を実行するためのドライバプログラムを実行することにより、第２の通信制御部９２として機能する。また、さらに、ＣＰＵ６３は、通信設定を簡易に行うための所定のプログラムを実行することにより、探索部９３および第２の設定部９４として機能する。なお、通信設定を簡易に行うための所定のプログラムは、プロジェクタ２１の製造者毎またはプロジェクタ２１の機種毎に提供される。また、第２の画像処理部９１、第２の通信制御部９２、探索部９３および第２の設定部９４の一部または全部がハードウェアにより構成されていてもよい。
【００４７】
端末装置２２は、電源が投入されて無線通信の機能がオンとされると、第２の無線通信部９５の機能が有効となる。第２の無線通信部９５は、図３に示す無線通信部６８により実現される機能である。すなわち、第２の無線通信部９５は、ＩＥＥＥ８０２．１１規格の無線ＬＡＮの方式でプロジェクタ２１と無線通信をする。
【００４８】
第２の画像処理部９１は、プロジェクタ２１へと送信すべき画像データを生成して、第２の通信制御部９２へと出力する。第２の画像処理部９１は、一例として、画像データを伝送可能な形式に変換して第２の通信制御部９２へと出力する。
【００４９】
第２の通信制御部９２は、プロジェクタ２１を識別するＳＳＩＤを用いて、プロジェクタ２１との間の無線通信を介したデータの送受信を制御する。
【００５０】
探索部９３は、無線通信可能な範囲に存在する基地局のＳＳＩＤを探索する。具体的には、探索部９３は、無線通信可能な範囲に存在する基地局がビーコン信号に含めて送信したＳＳＩＤを探索する。第２の設定部９４は、探索部９３による探索によって、第２のＳＳＩＤが検出された場合、第２のＳＳＩＤを第２の通信制御部９２に設定する。第２のＳＳＩＤは、ＣＰＵ６３が実行する、通信設定を簡易に行うための所定のプログラムに予め記述されている。
【００５１】
図５は、簡易設定を行う場合における、プロジェクタ２１および端末装置２２のそれぞれの処理順序を示すフローチャートである。プロジェクタ２１は、簡易設定を行う場合、図５のステップＳ１１から処理を実行する。
【００５２】
まず、ステップＳ１１において、第１の設定部８３は、ユーザにより簡易設定をするための所定の操作がされたか否かを判断する。例えば、第１の設定部８３は、リモートコントローラ等に設けられた簡易設定ボタンが押下されたか否かを判断する。第１の設定部８３は、ユーザにより所定の操作がされていない場合には（ステップＳ１１のＮｏ）、処理をステップＳ１１で待機し、ユーザにより所定の操作がされた場合には（ステップＳ１１のＹｅｓ）、処理をステップＳ１２に進める。
【００５３】
続いて、ステップＳ１２において、第１の設定部８３は、第１の通信制御部８１に、元々設定されている第１のＳＳＩＤに代えて、第２のＳＳＩＤを設定する。第１の通信制御部８１は、第２のＳＳＩＤが設定されると、第２のＳＳＩＤを無線通信のビーコン信号に含めて、周囲の機器にブロードキャストする。
【００５４】
続いて、ステップＳ１３において、第１の通信制御部８１は、端末装置２２から、所定時間内に無線通信を介して接続要求（例えば、プローブ要求）があったか否かを判断する。所定時間内に接続要求が無い場合には（ステップＳ１３のＮｏ）、第１の通信制御部８１は、処理をステップＳ１８に進める。
【００５５】
所定時間内に接続要求があった場合（ステップＳ１３のＹｅｓ）、第１の通信制御部８１は、処理をステップＳ１４に進める。ステップＳ１４において、第１の通信制御部８１は、端末装置２２との間で無線通信の接続処理およびネットワークの接続処理を実行する。続いて、ステップＳ１５において、第１の画像処理部８２は、端末装置２２から無線通信を介して送信された画像データの受信を開始する。続いて、ステップＳ１６において、投影部４２は、端末装置２２から送信された画像データに応じた映像のスクリーン２３への投影を開始する。
【００５６】
続いて、ステップＳ１７において、第１の設定部８３は、端末装置２２との間の第２のＳＳＩＤを用いたデータの送受信が終了したか否かを判断する。データの送受信が終了していない場合には（ステップＳ１７のＮｏ）、第１の設定部８３は、第２のＳＳＩＤの設定を変更せずに、ステップＳ１７で処理を待機する。
【００５７】
端末装置２２との間の第２のＳＳＩＤを用いたデータの送受信が終了した場合（ステップＳ１７のＹｅｓ）、第１の設定部８３は、処理をステップＳ１８に進める。そして、ステップＳ１８において、第１の設定部８３は、第１の通信制御部８１のＳＳＩＤを元に戻す。すなわち、第１の設定部８３は、第１の通信制御部８１に、第２のＳＳＩＤに代えて、元々設定されていた第１のＳＳＩＤを設定する。そして、ステップＳ１８の処理を終えると、第１の設定部８３は、処理をステップＳ１１に戻し、次に所定の操作がされるまで処理を待機する。
【００５８】
一方、端末装置２２は、簡易設定を行う場合、図５のステップＳ２１から処理を開始する。まず、ステップＳ２１において、端末装置２２のＣＰＵ６３は、ユーザの指示に応じて、通信設定を簡易に行うための所定のプログラムを起動して実行を開始する。所定のプログラムが実行されると、ＣＰＵ６３は、探索部９３および第２の設定部９４として機能を開始する。
【００５９】
続いて、ステップＳ２２において、探索部９３は、無線通信可能な範囲に存在する基地局のＳＳＩＤを、予め定められた所定時間探索する。続いて、ステップＳ２３において、第２の設定部９４は、探索部９３が、所定時間内に第２のＳＳＩＤが検出できたか否かを判断する。所定時間内に第２のＳＳＩＤが検出できなかった場合には（ステップＳ２３のＮｏ）、第２の設定部９４は、本フローを終了する。所定時間内に第２のＳＳＩＤが検出できた場合には（ステップＳ２３のＹｅｓ）、第２の設定部９４は、処理をステップＳ２４に進める。
【００６０】
ステップＳ２４において、第２の設定部９４は、第２の通信制御部９２に、元々設定されている第１のＳＳＩＤに代えて、第２のＳＳＩＤを設定する。続いて、ステップＳ２５において、第２の通信制御部９２は、プロジェクタ２１との間で無線通信の接続処理およびネットワークの接続処理を実行する。続いて、ステップＳ２６において、第２の画像処理部９１は、無線通信を介してプロジェクタ２１へ画像データの送信を開始する。
【００６１】
続いて、ステップＳ２７において、第２の設定部９４は、プロジェクタ２１との間の第２のＳＳＩＤを用いたデータの送受信が終了したか否かを判断する。データの送受信が終了していない場合には（ステップＳ２７のＮｏ）、第２の設定部９４は、第２のＳＳＩＤの設定を変更せずに、ステップＳ２７で処理を待機する。
【００６２】
プロジェクタ２１との間の第２のＳＳＩＤを用いたデータの送受信が終了した場合（ステップＳ２７のＹｅｓ）、第２の設定部９４は、処理をステップＳ２８に進める。ステップＳ２８において、第２の設定部９４は、第２の通信制御部９２のＳＳＩＤを元に戻す。すなわち、第２の設定部９４は、第２の通信制御部９２に、第２のＳＳＩＤに代えて、元々設定されていた第１のＳＳＩＤを設定する。そして、ステップＳ２８の処理を終えると、第２の設定部９４は、本フローを終了する。
【００６３】
以上のように本実施形態に係る投影システム１０は、プロジェクタ２１に所定の操作（例えば、簡易設定ボタンの押下）が行われ、端末装置２２で所定のプログラムが実行されることにより、通常時とは異なる第２のＳＳＩＤを用いて無線通信を接続する。従って、本実施形態に係る投影システム１０によれば、例えば、プロジェクタ２１の無線通信可能な範囲に、同一のＳＳＩＤを発信する他の基地局が存在する場合であっても、簡易な操作で、端末装置２２を正しいプロジェクタ２１へと接続することができる。
【００６４】
本発明のいくつかの実施形態を説明したが、これらの実施形態は、例として提示したものであり、発明の範囲を限定することは意図していない。これら新規な実施形態は、その他の様々な形態で実施されることが可能である。
【符号の説明】
【００６５】
１０  投影システム
２１  プロジェクタ
２２  端末装置
２３  スクリーン
３１  他のプロジェクタ
４１  システム制御部
４２  投影部
４３  記憶部
４４  外部接続部
４５  有線通信部
４６  無線通信部
４７  表示入力部
４８  操作信号受信部
４９  ファン制御部
５０  ファン
５１  光源
５２  光源制御部
５３  カラーホイール
５４  回転検出部
５５  カラーホイール制御部
５６  ＤＭＤ
５７  ＤＭＤ制御部
５８  投射レンズ
６１  表示部
６２  入力部
６３  ＣＰＵ
６４  ＲＯＭ
６５  ＲＡＭ
６６  記憶装置
６７  有線通信部
６８  無線通信部
８１  第１の通信制御部
８２  第１の画像処理部
８３  第１の設定部
８４  第１の無線通信部
８５  操作入力部
９１  第２の画像処理部
９２  第２の通信制御部
９３  探索部
９４  第２の設定部
９５  第２の無線通信部
【先行技術文献】
【特許文献】
【００６６】
【特許文献１】特開２００３−３４８１１６号公報
【図１】
2015220500.tif 000003
【図２】
2015220500.tif 000004
【図３】
2015220500.tif 000005
【図４】
2015220500.tif 000006
【図５】
2015220500.tif 000007